(57)【要約】【課題】複数の筐体に分離可能な電子装置において、外部電源から各筐体に備えられたバッテリへ充電を行うときに、各筐体の状態を考慮することで効率的な充電を行う。【解決手段】本発明は、複数の筐体に分離可能で、かつ各筐体には、装置の機能を実現するための回路を備えた電子装置において、第１の回路へ電源を供給する第１のバッテリと、第２の回路へ電源を供給する第２のバッテリと、前記バッテリへの充電を制御する充電制御部と、前記バッテリの残量を検出する残量検出部と、前記バッテリのそれぞれの残量に基づいて適正比率を求める演算部と、適正比率を記憶しておく記憶部を備え、前記充電制御部は、検出された残量の比を前記適正比率に合わせるよう充電を制御することを特徴とする。【選択図】図３
2011114959.tif 000002
【特許請求の範囲】
【請求項１】
複数の筐体に分離可能で、かつ各筐体には、装置の機能を実現するための回路を備えた電子装置において、
第１の回路へ電源を供給する第１のバッテリと、
第２の回路へ電源を供給する第２のバッテリと、
前記バッテリへの充電を制御する充電制御部と、
前記バッテリの残量を検出する残量検出部と、
前記バッテリのそれ俺の残量に基づいて残量比率を求める演算部と、
適正比率を記憶しておく記憶部を備え、
前記充電制御部は、検出された残量比率を前記適正比率の合わせるよう充電を制御することを特徴とする電子装置。
【請求項２】
前記記憶部は、前記回路の過去の電力消費量から求めた比率を前記適正比率として記憶することを特徴とする請求項１記載の電子装置。
【請求項３】
前記記憶部は、前記回路が実現する機能を実行することによって消費される電力消費量から求めた比率を前記適正比率として記憶することを特徴とする請求項１記載の電子装置。
【請求項４】
前記充電制御部は、前記残量比率が前記適正比率になるまでは前記適正比率と異なる比率にて充電を制御し、前記適正比率に達したあとは前記適正比率で充電することを特徴とする請求項１記載の電子装置。
【請求項５】
前記充電制御部は、充電により一方のバッテリが満充電となった場合、他方の満充電となっていないバッテリを前記適正比率に関わらず充電を継続することを特徴とする請求項１記載の電子装置。
【発明の詳細な説明】
【技術分野】
【０００１】
本発明は、筐体を分離可能な電子装置におけるバッテリの電力制御に関するものである。
【背景技術】
【０００２】
今日、市場に流通している電子装置には、ストレートタイプ、スライドタイプ、折りたたみタイプなど様々な形状のものがある。また、これらのタイプ以外にも複数の筐体に分離することが可能な電子装置も考えられている。
【０００３】
筐体を分離できるタイプの電子装置では、例えば、カメラ機能を利用する際に撮影部を搭載した筐体とメインディスプレイを備えた筐体を分離して設置することにより、離れた場所からカメラを遠隔操作して撮影することが可能となる電子装置が特許文献１に開示されている。
【先行技術文献】
【特許文献】
【０００４】
【特許文献１】特開２００７−１６５９６０号公報
【発明の概要】
【発明が解決しようとする課題】
【０００５】
しかし、分離できるタイプの電子装置を実現しようとした場合、バッテリを分離する各筐体に搭載しなければならず、分離した片側の筐体がバッテリの充電量不足によって動作不能となることが考えられる。
【０００６】
そこで、特許文献１記載の発明では、各々の筐体に備えられた制御部が各バッテリの充電残量を所定時間毎に監視し、それぞれの充電残量が一致していなかった場合、充電残量が多いバッテリから充電残量の少ないバッテリへ電力を分配し各バッテリの充電残量を一致させている。
【０００７】
しかしながら、筐体を分離した状態で長時間利用している場合、筐体間で相互に電力の授受が行えないこと、また筐体ごとに搭載された機能は違うことから、消費電力の多い方の一方の筐体が先に充電量不足のため動作不能となる問題が生じることが考えられる。そうなれば、充電残量がある筐体の機能も一方の筐体が動作不能のために制限されることになる。
【０００８】
本発明は、上記課題に鑑みてなされたもので、外部電源から各筐体への充電を行うときに、各筐体の状態を考慮することで効率的な充電を行うことを目的とする。
【課題を解決するための手段】
【０００９】
上記課題を解決するため、本発明は、電子装置において、第１の回路へ電源を供給する第１のバッテリと、第２の回路へ電源を供給する第２のバッテリと、前記第１のバッテリと第２のバッテリへの充電を制御する充電制御部と、前記バッテリの残量を検出する残量検出部と、前記バッテリのそれぞれの残量に基づいて適正比率を求める演算部と、適正比率を記憶しておく記憶部を備え、前記充電制御部は、検出された残量の比を前記適正比率に合わせるよう充電を制御する。
【００１０】
また、本発明は、上記電子装置において、前記記憶部は、前記回路の過去の電力消費量から求めた比率を記憶させる。
【００１１】
また、本発明は、上記電子装置において、前記記憶部は、前記回路が実現する機能を実行することによって消費される電力消費量から求めた比率を記憶させる。
【００１２】
また、本発明は、上記電子装置において、前記充電制御部は、適正比率になるまでは適正比率と異なる比率にて充電を制御し、適正比率に達したあとは適正比率で充電する。
【００１３】
また、本発明は、上記電子装置において、前記充電制御部は、一方のバッテリが満充電となった場合、他方の満充電となっていないバッテリを前記適正比率に関わらず充電を継続するよう充電を制御する。
【発明の効果】
【００１４】
上記構成を有することにより、本発明の電子装置によれば、外部電源からの充電状態が中断された場合であっても蓄えられた電力を効率的に利用することが可能な電子装置を提供することができる。
【図面の簡単な説明】
【００１５】
【図１】本発明に係る電子装置３００の外観斜視図である。
【図２】第１筐体１００と第２筐体２００に分離した状態の外観斜視図である。
【図３】本発明に係る電子装置３００のシステム構成図である。
【図４】測定したバッテリの電圧値からバッテリの充電残量を求めるためのデータである。
【図５】充電処理を実施している形態の一例を示す説明図である。
【図６】適正比率ｃを決定するためのフローチャートである。
【図７】充電処理を行うためのフローチャートである。
【図８】充電処理を行うためのフローチャートである。
【図９】充電処理を行うためのフローチャートである。
【図１０】充電処理を行うためのフローチャートである。
【図１１】充電処理を行うためのフローチャートである。
【図１２】ユーザーが任意に適正比率ｃを決定するためのフローチャートである。
【図１３】ユーザーが任意で適正比率を設定するための画面の一例である。
【図１４】筐体を分離して使用する形態の一例を示す説明図である。
【図１５】筐体を分離して使用する形態の一例を示す説明図である。
【図１６】第一筐体１００と第２筐体２００を接続して使用する一例を示す説明図である。
【図１７】第一筐体１００と第２筐体２００を接続して使用する一例を示す説明図である。
【図１８】第一筐体１００と第２筐体２００を接続して使用する一例を示す説明図である。
【図１９】第一筐体１００と第２筐体２００を接続して使用する一例を示す説明図である。
【発明を実施するための形態】
【００１６】
本発明に係る電子装置３００の実施の形態について図面を用いて説明する。はじめに図１、図２を用いて、各筐体に備えられた構成を説明する。
図１（ａ）は、電子装置３００の正面方向からの外観斜視図である。
図１（ｂ）は、電子装置３００の背面方向からの外観斜視図である。
図２（ａ）は、電子装置３００を筐体ごとに分離した状態の正面方向からの外観斜視図である。
図２（ｂ）は、電子装置３００を筐体ごとに分離した状態の背面方向からの外観斜視図である。
図２（ｃ）は、第２筐体２００の底面の平面図である
図２（ｄ）は、第１筐体１００の底面の平面図である。
【００１７】
電子装置３００は、第１筐体１００と第２筐体２００に分離することができる。第１筐体１００は、キー操作部１０１、サイドキー操作部１０２、接続部１０３、マイク１０４、外部電源接続部１０５、スピーカ１０６、接続部１０７、撮影部１０８、照明部１０９を備える。
【００１８】
また、第２筐体２００は表示部２０１、受話部２０２、撮影部２０３、サイドキー操作部２０４、接続部２０５、外部電源接続部２０６、接続部２０７によって構成されている。なお図１、図２に図示されない構成については図３によって説明する。
【００１９】
キー操作部１０１は、筐体に備えられた機能を実行するためのユーザーからの入力を受け付ける。機能としては、例えば、番号入力機能、通話機能、メール機能、ブラウザ閲覧機能、画像閲覧機能、ＴＶ視聴機能、カメラ機能などがある。
【００２０】
サイドキー操作部１０２は、ユーザーの入力を受け付ける上方向キー、下方向キー、カメラキー、ＴＶキーなどを備える。
【００２１】
接続部１０３は、第２筐体に備えられた接続部２０５、接続部２０７と接続を行う。接続部１０３は、電気的に接続するための金属コネクタと、接続された第１筐体１００と第２筐体２００の接続状態が外力により切断されることを防ぐために、磁石を備える。磁石は接続部２０５、接続部２０７にも備えられており、磁石同士の磁気力によって両筐体の接続状態を保持する。
【００２２】
マイク１０４は、通話機能を利用する際に、通話者が音声を入力する。
【００２３】
外部電源接続部１０５は、後述する筐体支持部５０３に備えられた筐体接続部５０１と電気的に接続される。接続された場合、外部電源からの電力を後述するバッテリ１１３へ供給するための接続を確立する。
【００２４】
スピーカ１０６は、音を外部へ出力する機能を備える。例えば、通話相手からの音声、音楽、効果音、留守番録音メッセージ、着信音などを出力する。
【００２５】
接続部１０７は、第２筐体２００に備えられた接続部２０５または接続部２０７と接続される。接続部１０７は、例えば磁石を備え、同様に磁石を備えた接続部２０５または接続部２０７と磁石の磁気力により接続される。
【００２６】
撮影部１０８は、カメラ機能やビデオ機能を備える。例えば、ＣＣＤ（Chａrge  Coupled  Device）カメラやＣＭＯＳ（Complementａry  Metａl  Oxide  Semiconductor）カメラなどにより構成される。
【００２７】
照明部１０９は、外部へ光を照射する機能を備える。例えば、ＬＥＤに代表される発光体により構成され、撮影部１０８を利用する際に周囲が撮影するために十分明るくない場合、光を照射する。
【００２８】
表示部２０１は、各筐体に備えられた機能を実現するために必要な画面を表示する。表示部２０１は、液晶表示装置、有機ＥＬディスプレイ等で構成される。具体的な機能としては、例えば、メニューの表示、テレビ放送受信中の画面表示、着信時に相手側の情報を表示、受信及び送信メールの表示、ＴＶ通話機能利用時に相手側画像の表示などを行う。
【００２９】
受話部２０２は、通話機能を利用する際に相手側から送られてきた音声信号を出力する。
【００３０】
撮影部２０３は、撮影部１０８同様、カメラ機能やビデオ機能を備える。例えば、ＣＣＤ（Chａrge  Coupled  Device）カメラやＣＭＯＳ（Complementａry  Metａl  Oxide  Semiconductor）カメラなどにより構成される。
【００３１】
サイドキー操作部２０４は、サイドキー操作部１０２と同様の機能を備える。
【００３２】
接続部２０５は、第１筐体に備えられた接続部１０３と機械的に接続される。また、接続部１０７と機械的に接続することもできる。接続部２０５は、接続部１０３と同様の構成を備える。
【００３３】
外部電源接続部２０６は、外部電源接続部１０５と同様、後述する筐体支持部５０３に備えられた筐体接続部５０１と電気的に接続される。接続された場合、外部電源からの電力を後述するバッテリ２０９へ供給するための接続を確立する。
【００３４】
接続部２０７は、第１筐体１００に備えられた接続部１０３、及び、接続部１０７と機械的に接続される。接続部、２０７は、接続部１０７と同様の構成を備える。
【００３５】
図３は、本実施の形態にかかる電子装置のシステム構成図である。図１、図２に示した構成に対応する構成には共通の番号を記した。
【００３６】
第１筐体１００は、図１、図２の構成に加えて、第１制御部１１０、近距離通信部１１１、キー操作部１０１、チューナー部１１２、バッテリ１１３、メモリ１１４、モータ１１５、通信部１１７、アンテナ１１６、接続部１１８、残量検出部１１９、充電制御部１２０により構成されている。
【００３７】
第２筐体２００は、近距離通信部２０７、メモリ２０８、バッテリ２０９、第２制御部２１０、接続部２１１、残量検出部２１２、充電制御部２１３により構成されている。
なお、接続部２１１は、接続部２０５、外部電源接続部２０６、接続部２０７を含む。
また、接続部１１８は、接続部１０３、外部電源接続部１０５、接続部１０７を含む。
【００３８】
第１制御部１１０及び第２制御部２１０は、ＣＰＵ（Central Processing Unit：中央演算装置）１１０ａやＲＡＭ（Rａndom Ａccess Memory）１１０ｂから構成されており、各筐体に備えられた各種ハードウェアを制御する。ＣＰＵ１１０ａは、ＲＡＭ１１０ｂと連携して各種演算処理、各筐体に備えられた各機能を制御するための制御信号の送受信などを行う。ＲＡＭ１１０ｂは、ＣＰＵ１１０ａで処理される情報を一時的に記憶しておく。
【００３９】
近距離通信部１１１及び近距離通信部２０７は、第１制御部１１０、第２制御部２１０、メモリ１１４、メモリ２０８、残量検出部１１９、残量検出部２１２、充電制御部１２０、充電制御部２１３からの制御信号や情報を電磁波によって相互に送受信する。具体的には、例えば、ブルートゥースとして知られているような近距離無線通信技術を利用することができる。
【００４０】
チューナー部１１２は、第１制御部１１０からの指示によりテレビ又はラジオの放送の受信を開始、終了する。さらに、放送受信中に第１制御部１１０から指示された放送の選局を行う。なお、チューナー部１１２は、第１制御部１１０を介し、近距離通信部１１１、近距離通信部２０７を利用して放送受信情報を第２制御部２１０へ送信し、第２制御部から表示部２０１へ放送受信情報を出力する。また、放送の受信の開始、終了、放送の選局指示は第２制御部２１０によって行われてもよい。具体的には、上記同様、近距離通信部１１１、近距離通信部２０７を利用して第２制御部２１０と制御信号を送受信することにより制御する。
【００４１】
バッテリ１１３及びバッテリ２０９は、電荷の繰返し充放電が可能である。例えば、リチウムイオン電池やニッケルカドミウム電池などから構成される。
【００４２】
なお、バッテリ１１３は、第１筐体１００に構成される第１制御部１１０、近距離通信部１１１、キー操作部１０１、チューナー部１１２、メモリ１１４、モータ１１５、通信部１１７、アンテナ１１６、接続部１１８、残量検出部１１９、充電制御部１２０などの回路へ電源を供給する。
【００４３】
また、バッテリ２０９は、第２筐体２００に構成される、近距離通信部２０７、メモリ２０８、第２制御部２１０、接続部２１１、残量検出部２１２、充電制御部２１３などの回路へ電源を供給する。
【００４４】
メモリ１１４、２０８は、フラッシュメモリやハードディスク装置から構成され各種情報を記憶する。各種情報とは、例えば、図４に示した、各バッテリの充電残量を算出するための放電曲線に関する情報、後述する充電処理における各バッテリの充電残量情報、後述する充電処理における適正比率、他には時刻情報、通話履歴、留守番電話の録音情報、アドレス帳、スケジュール帳、画像データ、映像データなどを記憶する。
【００４５】
モータ１１５は、第１制御部１１０の制御に基づいて、回転動作することにより、機械的振動を生じる。第１制御部１１０は、モータ１１５の機械的振動により着信やアラーム日時到来などユーザーへの報知を行う。なお、モータ１１５は、近距離通信部１１１、近距離通信部２０７及び第１制御部１１０を介して、第２制御部２１０によって制御されてもよい。
【００４６】
アンテナ１１６は、所定周波数により搬送された電磁波を受信する。また、通信部１１７から出力された所定周波数の電磁波を搬送先へ出力する。
【００４７】
通信部１１７は、アンテナ１１６が受信した電磁波を所定の高周波信号、そして、電気信号へと変換する。また、第１制御部１１０から入力された電気信号を、所定の高周波信号、そして、所定周波数の電磁波へ変換してアンテナ１１６へ出力する。
【００４８】
残量検出部１１９、残量検出部２１２は、バッテリ１１３、バッテリ２０９の電圧を測定することで、充電されている量（充電残量）を求める。以下に測定された電圧値からバッテリの充電残量を求める方法について説明する。残量検出部１１９、残量検出部２１２が、バッテリ１１３、バッテリ２０９の電圧値を測定する。測定された電圧値より図４に示すグラフの縦軸位置から横軸に平行線を引き、平行線と放電曲線との交点を求める。求めた交点と充電残量（Ａｈ）を示す横軸との交点に示された値が測定された電圧値に対応する充電残量となる。以下、電圧値の測定から充電残量（Ａｈ）を求める方法には上記した方法を用いることとする。なお、充電残量はメモリ１１４または２０８の少なくともどちらか一方に記憶されているものとする。
【００４９】
充電制御部１２０、充電制御部２１３は、充電処理に関する制御を行う。例えば、残量検出部１１９、残量検出部２１２で検出されたバッテリ１１３、バッテリ２０９の各充電残量から充電残量の比率の計算、バッテリ容量から充電残量を減算した電力の消費量から各バッテリの電力の消費量の比を計算する。
【００５０】
図５(ａ)は、本発明に係る電子装置３００に備えられたバッテリ１１３、バッテリ２０９へ外部電源から電力を供給するための充電器５００の一例を示す外観斜視図である。充電器５００は、筐体接続部５０１、外部電源接続部５０２、筐体支持部５０３、により構成されている。
【００５１】
筐体接続部５０１は、充電処理が行われる場合、第１筐体１００に備えられた外部電源接続部１０５及び第２筐体２００に備えられた外部電源接続部２０６と電気的に接続される。
【００５２】
筐体支持部５０３は、接続された第１筐体１００及び第２筐体２００を支持する。また内部に交流を直流に変換するインバータを備えている。
【００５３】
外部電源接続部５０２は、家庭用電源などに接続され、入力された電力を筐体支持部５０３へ出力する。筐体支持部５０３は内部に備えられたインバータによって、外部電源接続部５０２より入力された交流電流を筐体のバッテリ１１３及び２０９で使用される直流電流へ変換する。
【００５４】
そして、筐体接続部５０１へ各筐体が接続されたことを確認した場合、筐体接続部５０１より、接続された各筐体に備えられたバッテリ１１３及びバッテリ２０９へ電力を供給する。
【００５５】
図５（ｂ）は、電子装置の充電状態の一例を示す説明図である。ここでは、家庭用電源を利用して充電処理を行う場合の実施例を示す。
【００５６】
充電処理は、外部電源接続部１０５及び外部電源接続部２０６を筐体接続部５０１へ接続することによって実行される。
【００５７】
なお本状態では、筐体支持部５０３に両筐体を固定しつつ、ユーザーの指示により表示部２０１を利用する機能を実行してもよい。例えば、メール閲覧、ＴＶ視聴、画像の閲覧、ＴＶ通話機能などをユーザーが実行できる。その際、各筐体に備えられた機能の操作は、サイドキー操作部１０２、２０４により行うことができ、筐体間のデータ送受信は近距離通信部１１１、近距離通信部２０７により行う。
【００５８】
次に図５（ｂ）の充電状態において実施する充電処理について、図６〜図１２を用いて説明する。充電処理に先立って、充電処理前に予め適正比率ｃを定める。バッテリ１１３の充電残量ａとバッテリ２０９の充電残量ｂの比と比較するための値として適正比率ｃを定める処理について説明する。
【００５９】
バッテリ容量とは、バッテリ１１３、バッテリ２０９の各々のバッテリが充電することができる最大の電力容量である。充電残量とは、バッテリに蓄えられた電力量である。電力消費量とは、各バッテリで消費された電力である。上記より、バッテリ容量＝電力消費量＋充電残量  で表すことができる。
【００６０】
適正比率ｃを決定する処理の流れを、図６を用いて以下に説明する。
まず、残量検出部１１９は、バッテリ１１３の電圧値を測定し、バッテリ１１３の充電残量ａを計算する（Ｓ１０）。
【００６１】
計算方法については、図４で説明した方法を用いる。
【００６２】
残量検出部１１９は、バッテリ１１３のバッテリ容量からバッテリ１１３の充電残量ａを減算し、電力消費量eを計算する（Ｓ１５）。
【００６３】
充電制御部１２０は、近距離通信部１１１、近距離通信部２０７を利用して通信を行い、第２筐体２００からバッテリ２０９のバッテリ２０９の充電残量ｂの情報を入手する（Ｓ２０）。
【００６４】
残量検出部１１９は、バッテリ２０９のバッテリ容量からバッテリ２０９の充電残量ｂを減算し、電力消費量ｆを計算する（Ｓ２５）。
【００６５】
充電制御部１２０は、(e/f)を計算し、過去に計算した（e/f）との移動平均値を適正比率ｃとする（Ｓ３０）。
以上により、適正比率ｃを各バッテリの電力消費量より決定する。
【００６６】
次に本発明に係る電子装置の充電処理の流れ（図７〜図１１）を以下に示す。なお本実施の形態では、実施の形態の一例として第１筐体に備えられたバッテリ１１３の方が第２筐体に備えられたバッテリ２０９よりも電力消費量が多い場合の充電処理について示す。
【００６７】
先ず、第一制御部１１０より命令を受けた充電制御部１２０が残量検出部１１９にバッテリ１１３の電圧値を測定し、バッテリ１１３の充電残量ａを計算するよう指示（Ｓ１００）。
【００６８】
充電制御部１２０は、近距離通信部１１１に第２筐体２００に備えられたバッテリ２０９の充電残量ｂを問い合わせるよう指示する（Ｓ１１０）
近距離通信部１１１は、近距離通信部２０７と通信を行い、残量検出部２１２にバッテリ２０９の充電残量ｂを報告するよう指示する（Ｓ１２０）
近距離通信部２０７は、残量検出部２１２にバッテリ２０９の充電残量ｂを問い合わせる（Ｓ１３０）。
【００６９】
残量検出部２１２はバッテリ２０９の電圧値を測定し、電圧値より充電残量ｂを求める（Ｓ１４０）
充電制御部２１３は、計算したバッテリ２０９の充電残量ｂを近距離通信部２０７へ報告する（Ｓ１５０）。
【００７０】
近距離通信部２０７は、近距離通信部１１１と通信を行い、バッテリ２０９の充電残量ｂを報告する（Ｓ１６０）。
【００７１】
近距離通信部１１１は、充電制御部１２０にバッテリ２０９の充電残量ｂを報告する（Ｓ１７０）。
【００７２】
充電制御部１２０は、第１筐体１００に備えられたバッテリ１１３の充電残量ａと第２筐体２００に備えられたバッテリ２０９の充電残量bの比ｃを計算する（Ｓ１８０）。
【００７３】
そしてａ/b≧ｃ（ｃは適正比率）の成立可否を判断する（Ｓ１９０）。
【００７４】
もし、ａ/b≧ｃが成立しなければ充電制御部１２０はバッテリ１１３の充電を開始（Ｓ１９５）、その後,下記するＳ２１０を実行する（Ｓ２００）。
【００７５】
もし、ａ/b≧ｃが成立すれば、充電制御部１２０は、近距離通信部１１１、近距離通信部２０７を利用して通信を行い、充電制御部２１３にバッテリ２０９の充電開始を指示した後、下記するＳ２１０を実行する。
【００７６】
充電制御部１２０はバッテリ１１３の充電残量ａとバッテリ２０９の充電残量ｂの値を再取得する（Ｓ２１０）。
【００７７】
充電制御部１２０は、前記ステップで再取得したバッテリ１１３の充電残量ａ´とバッテリ２０９の充電残量ｂ´より、ａ´/ｂ´＝ｃの成立可否を判定する。（Ｓ２２０）。
この判定は両バッテリの充電残量が同じ値となっているかを判定するためのものである。
【００７８】
もしａ´/ｂ´＝ｃが成立すれば、充電制御部１２０は、近距離通信部１１１、近距離通信部２０７を利用して通信を行い、充電制御部２１３にバッテリ２０９の充電を停止するよう指示する。なおバッテリ１１３の充電は継続する（Ｓ２３０）。
【００７９】
もしａ´/ｂ´＝ｃが成立しなければバッテリ１１３及びバッテリ２０９の充電を継続する（Ｓ２１５）。そして再度Ｓ２２０の判定を行う。
【００８０】
Ｓ２３０を実行した後、充電制御部１２０はバッテリ１１３が一定充電容量ｄ（Ａh）の充電を完了しているか否かを判定する（Ｓ２４０）。
【００８１】
なお、一定充電容量ｄとは、充電残量が揃った状態から追加で充電された分の充電量を示す。
【００８２】
完了していれば、バッテリ１１３の充電を停止する（Ｓ２５０）。
【００８３】
完了していなければ、バッテリ１１３が満充電となっているか否かを判定する（Ｓ２４５）。
【００８４】
もし満充電でなければ、バッテリ１１３の充電を継続した後、Ｓ２４０を再度実行する（Ｓ２４６）。
【００８５】
もし満充電であれば、下記するＳ３１０を実行する。
【００８６】
Ｓ２５０を実行した後、第１制御部１１０は、近距離通信部１１１、近距離通信部２０７を介して充電制御部２１３にバッテリ２０９の充電開始を指示する（Ｓ２６０）。
【００８７】
指示を受けた充電制御部２１３は、バッテリ２０９の充電を開始する（Ｓ２７０）。
【００８８】
次に充電制御部２１３は、バッテリ２０９が一定充電容量（d×b／ａ）の充電を完了しているか否か判定を行う（Ｓ２８０）。
【００８９】
一定充電容量（d×b／ａ）の充電が完了していれば、充電制御部１２０は近距離通信部１１１、近距離通信部２０７を利用して通信を行い、充電制御部２１３にバッテリ２０９の充電停止を指示する（Ｓ２９０）。
【００９０】
指示を受けた充電制御部２１３は、バッテリ２０９の充電を停止（Ｓ３００）し、再度Ｓ２３０を実行する。
【００９１】
もし一定充電容量（d×b／ａ）の充電が完了していなければ、バッテリ２０９が満充電であるか否かを判定する（Ｓ２８５）。
【００９２】
もし満充電でなければ、バッテリ２０９の充電を継続した後、Ｓ２８０を再度実行する（Ｓ２８６）。
【００９３】
もし満充電であれば、下記するＳ３８０を実行する。
【００９４】
ここまでがバッテリ１１３または、バッテリ２０９のいずれか一方を満充電するまでの処理の流れである。
【００９５】
次にバッテリ１１３が満充電となった場合、バッテリ２０９を満充電にするフローチャート（図１０）の説明をする。
【００９６】
充電制御部１２０は、バッテリ１１３の充電を停止する（Ｓ３１０）。
【００９７】
次に、充電制御部１２０は、バッテリ２０９が満充電となっているか否かを判定する（Ｓ３２０）。
【００９８】
もしバッテリ２０９が満充電となっていれば、バッテリの充電処理を終了する。
【００９９】
もしバッテリ２０９が満充電となっていなければ、充電制御部１２０は、近距離通信部１１１、近距離通信部２０７を介して、充電制御部２１３にバッテリ２０９の充電開始を指示する（Ｓ３３０）。
【０１００】
そして、充電制御部２１３は、バッテリ２０９の充電を開始する（Ｓ３４０）。
【０１０１】
ここで、バッテリ２０９が満充電となっているか否かの判定を行う（Ｓ３５０）。
【０１０２】
もし、バッテリ２０９が満充電となっていなければ、バッテリ２０９の充電を継続する（Ｓ３５５）。
【０１０３】
もし、バッテリ２０９が満充電となっていれば、充電制御部１２０は、近距離通信部１１１、近距離通信部２０７を利用して通信を行い、充電制御部２１３にバッテリ２０９の充電停止を指示する（Ｓ３６０）。
【０１０４】
充電制御部２１３は、バッテリ２０９の充電を停止する（Ｓ３７０）。以上の処理によりバッテリ１１３とバッテリ２０９が満充電となる。
【０１０５】
次にバッテリ２０９が満充電となった場合、バッテリ１１３を満充電にするフローチャート（図１１）の処理を実行する。
【０１０６】
充電制御部１２０は、近距離通信部１１１、近距離通信部２０７を利用して通信を行い、充電制御部２１３にバッテリ２０９の充電停止を指示する（Ｓ３８０）
充電制御部２１３は、バッテリ２０９の充電を停止する（Ｓ３９０）
バッテリ１１３が満充電であるか否かを判定する（Ｓ４００）。
【０１０７】
バッテリ１１３が満充電であった場合、バッテリ１１３の充電処理を終了する。
【０１０８】
バッテリ１１３が満充電でない場合、充電制御部１２０はバッテリ１１３の充電を開始する（Ｓ４１０）
そして、再度、バッテリ１１３が満充電であるか否かの判定を行う（Ｓ４２０）。
【０１０９】
バッテリ１１３満充電でなかった場合、バッテリ１１３の充電を継続し、再度Ｓ４２０にて満充電であるか否かの判定を行う。
【０１１０】
バッテリ１１３が満充電である場合、充電制御部１２０はバッテリ１１３の充電を停止する（Ｓ４３０）。
【０１１１】
以上の処理によりバッテリ１１３とバッテリ２０９が満充電となる。
【０１１２】
なお、適正比率ｃはユーザーの任意によって値を決定してもよい。その処理の流れを図１２によって説明する。
【０１１３】
適正比率ｃの入力画面（図１３（ａ））を表示する（Ｓ３５）。
【０１１４】
次に、ユーザーが適正比率ｃの値を入力する（Ｓ４０）。
【０１１５】
次に入力された値の確認画面（図１３（ｂ））を表示する（Ｓ４５）。
【０１１６】
そして、確認画面に表示された値にて適正比率ｃを決定するか否かをユーザーに選択させる（Ｓ５０）。
【０１１７】
もし、確認画面に表示された値で決定する場合、入力した値を適正比率ｃとして設定する。（Ｓ５５）
設定したことを画面で表示する。（Ｓ６０、図１３（ｃ））
もし、確認画面に表示された値で決定しない場合、適正比率ｃの入力をやり直すために、Ｓ４０の処理を再度実行する。以上の処理により、ユーザーの任意により適正比率ｃを決定する。
【０１１８】
なお、ユーザーが本発明にかかる電子装置を初めて利用する際は、予め生産者が、各筐体に備えられた構成が実現する機能を実行することによって消費される電力消費量から求めた適正比率ｃを設定しておく。例えば、電子装置３００において、表示部２０１はバックライトを点灯させなければならないために、第２筐体は、第１筐体１００で消費される電力量と比較して２倍多いとする。そのような場合、適正比率ｃの値を２として第１筐体に備えられたバッテリ１１３がバッテリ２０９より優先して充電されるような値とする。
なお適正比率ｃは、ユーザーの任意により選択できることとする。
【０１１９】
図１４は、第1筐体１００と第２筐体２００を分離してテレビ視聴機能を利用する場合の実施例を示す。
【０１２０】
建物の中などのチューナーの電波が届きにくい場所では、図示するようにチューナー部が搭載された第一筐体１００を電波が届きやすい窓際などへ設置する。そして、近距離無線部１１１によりチューナーの受信情報を近距離通信部２０７へ送信し受け取った受信情報を表示部２０１へ出力する。
【０１２１】
図１５は、第1筐体１００と第２筐体２００を分離してカメラ機能を利用する場合の実施例を示す。本実施例では撮影部１０８が備えられた第１筐体１００を撮影場所が写るように設置し、被撮影者は表示部２０１を備えた第２筐体２００を持ち撮影場所に移動する。撮影機能の操作、撮影中画像の確認、撮影された画像の確認などは第２筐体２００に備えられたサイドキー操作部２０4により実施する。なお、第１筐体１００で撮影した画像は、ユーザーのサイドキー２０４の操作によって、近距離通信部１１１、近距離通信部２０７で通信を行い、第２筐体２００に送ることができる。
【０１２２】
図１６は、接続部１０７、近距離通信部２０７によって第１筐体１００と第２筐体が機械的に接続された使用態様の一例を示す。本使用態様において、両筐体は近距離通信部１１１、近距離通信部２０７を利用して第１制御部１１０、第２制御部２１０からの制御信号、メモリ１１４、メモリ２０８に記憶されたデータなどの情報の授受を行う。
【０１２３】
図１７、図１８、図１９は、第１筐体１００に備えられた接続部１０３と、第２筐体２００に備えられた接続部２０７により、両筐体が機械的に接続された状態の一例を示す。本使用態様において、両筐体は、近距離通信部１１１、近距離通信部２０７を介して情報の授受を行う。
【符号の説明】
【０１２４】
１００  第１筐体
１０１  キー操作部
１０２  サイドキー操作部
１０３  接続部
１０４  マイク
１０５  外部電源接続部
１０６  スピーカ
１０７  接続部
１０８  撮影部
１０９  照明部
１１０  第１制御部
１１１  近距離通信部
１１２  チューナー部
１１３  バッテリ
１１４  メモリ
１１５  モータ
１１６  アンテナ
１１７  通信部
１１８  残量検出部
１１９  充電制御部
２００  第２筐体
２０１  表示部
２０２  受話部
２０３  撮影部
２０４  サイドキー操作部
２０５  接続部
２０６  外部電源接続部
２０７  近距離通信部
２１１  接続部
２１２  残量検出部
２１３  充電制御部
３００  電子装置
５００  充電器
５０１  筐体接続部
５０２  外部電源接続部
５０３  筐体支持部
【図１】
2011114959.tif 000003
【図２】
2011114959.tif 000004
【図３】
2011114959.tif 000005
【図４】
2011114959.tif 000006
【図５】
2011114959.tif 000007
【図６】
2011114959.tif 000008
【図７】
2011114959.tif 000009
【図８】
2011114959.tif 000010
【図９】
2011114959.tif 000011
【図１０】
2011114959.tif 000012
【図１１】
2011114959.tif 000013
【図１２】
2011114959.tif 000014
【図１３】
2011114959.tif 000015
【図１４】
2011114959.tif 000016
【図１５】
2011114959.tif 000017
【図１６】
2011114959.tif 000018
【図１７】
2011114959.tif 000019
【図１８】
2011114959.tif 000020
【図１９】
2011114959.tif 000021